【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
制御対象（１０１）を制御する電子制御ユニット（１）であって、
基板（１０）と、
前記基板の一方の面（１１）側に設けられ、作動時に発熱する発熱部品（２０）と、
熱伝導率が所定値以上の材料により形成され、少なくとも一部が前記発熱部品から所定距離（Ｌ）の範囲（Ｒ１）内に位置するよう前記基板の一方の面側に設けられた熱伝導部品（４０）と、
前記基板に設けられ、前記発熱部品の作動を制御することで前記制御対象を制御可能な制御部（６０）と、
前記基板の一方の面側に設けられ、前記発熱部品および前記熱伝導部品からの熱を放熱可能な放熱体（７０）と、を備え、
前記放熱体は、前記発熱部品に対応する位置に、前記放熱体の一方の面（７０１）から前記基板とは反対側へ凹む凹部である特定凹部（７１１）を有し、
前記発熱部品と前記特定凹部との距離（ｄ１）は、前記熱伝導部品と前記放熱体の一方の面との距離（ｄ２）以下に設定されている電子制御ユニット（１）。
【請求項２】
前記発熱部品は、前記基板の板厚方向の長さである高さが前記熱伝導部品の高さより高い請求項１に記載の電子制御ユニット。
【請求項３】
前記発熱部品の前記基板とは反対側の面は、前記特定凹部の内側に位置している請求項１または２に記載の電子制御ユニット。
【請求項４】
制御対象（１０１）を制御する電子制御ユニット（１）であって、
基板（１０）と、
前記基板の一方の面（１１）側に設けられ、作動時に発熱する発熱部品（２０）と、
熱伝導率が所定値以上の材料により形成され、少なくとも一部が前記発熱部品から所定距離（Ｌ）の範囲（Ｒ１）内に位置するよう前記基板の一方の面側に設けられた熱伝導部品（４０）と、
前記基板に設けられ、前記発熱部品の作動を制御することで前記制御対象を制御可能な制御部（６０）と、
前記基板の一方の面側に設けられ、前記発熱部品および前記熱伝導部品からの熱を放熱可能な放熱体（７０）と、を備え、
前記放熱体は、前記熱伝導部品に対応する位置に、前記放熱体の一方の面（７０１）から前記基板とは反対側へ凹む凹部である特別凹部（７１２）を有し、
前記発熱部品と前記放熱体の一方の面との距離（ｄ３）は、前記熱伝導部品と前記特別凹部との距離（ｄ４）以下に設定されている電子制御ユニット（１）。
【請求項５】
前記熱伝導部品は、前記基板の板厚方向の長さである高さが前記発熱部品の高さより高い請求項４に記載の電子制御ユニット。
【請求項６】
前記熱伝導部品の前記基板とは反対側の面は、前記特別凹部の内側に位置している請求項４または５に記載の電子制御ユニット。
【請求項７】
前記発熱部品および前記熱伝導部品は、前記基板上の一方の領域（Ｔ１）に位置し、
前記制御部は、前記基板上の前記一方の領域とは反対側の領域である他方の領域（Ｔ２）に位置している請求項１〜６のいずれか一項に記載の電子制御ユニット。
【請求項８】
前記発熱部品と前記放熱体との距離は、前記熱伝導部品と前記放熱体との距離より小さく設定されている請求項１〜７のいずれか一項に記載の電子制御ユニット。
【請求項９】
前記基板の一方の面と前記放熱体との間に設けられ、前記発熱部品および前記熱伝導部品からの熱を前記放熱体に伝導可能な熱伝導部材（７５）をさらに備える請求項１〜８のいずれか一項に記載の電子制御ユニット。
【請求項１０】
前記発熱部品は、作動時に発熱する発熱素子（２０１）、および、前記発熱素子の少なくとも一部を覆う封止体（２０２）を有し、
前記基板の一方の面に設けられ、前記発熱素子に電気的に接続している配線（３０）をさらに備え、
前記熱伝導部品は、電気伝導体により形成され、前記配線に接している請求項１〜９のいずれか一項に記載の電子制御ユニット。
【請求項１１】
前記封止体は、絶縁体により形成されている請求項１０に記載の電子制御ユニット。
【請求項１２】
前記発熱部品は、複数設けられ、
前記熱伝導部品は、少なくとも一部が複数の前記発熱部品の間に位置するよう設けられている請求項１〜１１のいずれか一項に記載の電子制御ユニット。
【請求項１３】
前記熱伝導部品は、少なくとも一部が前記発熱部品を囲むようにして設けられている請求項１〜１２のいずれか一項に記載の電子制御ユニット。
【請求項１４】
前記放熱体は、前記基板に向かって延びるよう形成された柱状部（７２）を有し、
前記熱伝導部品は、少なくとも一部が前記柱状部から所定距離（Ｍ）の範囲（Ｒ２）内に位置するよう設けられている請求項１〜１３のいずれか一項に記載の電子制御ユニット。
【請求項１５】
請求項１〜１４のいずれか一項に記載の電子制御ユニット（１）と、
前記電子制御ユニットにより制御され、運転者による操舵を補助するアシストトルクを出力可能な前記制御対象（１０１）と、
を備える電動パワーステアリング装置（１００）。
【手続補正２】
【補正対象書類名】明細書
【補正対象項目名】０００８
【補正方法】変更
【補正の内容】
【０００８】
本発明では、発熱部品と放熱体との距離は、熱伝導部品と放熱体との距離以下に設定されている。そのため、例えば振動または外部からの力等により放熱体と基板とが近付いたとしても、発熱部品と放熱体とが当接することにより、放熱体から熱伝導部品に対し大きな力が作用するのを抑制することができる。これにより、熱伝導部品が基板に対し位置ずれしたり基板から脱落したりするのを抑制することができる。したがって、発熱部品に対する熱伝導部品の位置が安定し、発熱部品からの熱を効果的に放熱することができる。
なお、発熱部品と放熱体との距離を、熱伝導部品と放熱体との距離より小さく設定した場合、発熱部品に対する熱伝導部品の位置がより安定し、上記効果をより一層高めることができる。また、熱伝導部品が電気伝導体により形成され、発熱部品等に電気的に接続されている場合においては、「放熱体が熱伝導部品に接触し、放熱体と熱伝導部品との間が短絡すること」を防ぐことができる。
本発明の第１の態様では、放熱体は、発熱部品に対応する位置に、放熱体の一方の面から基板とは反対側へ凹む凹部である特定凹部を有している。ここで、発熱部品と特定凹部との距離は、熱伝導部品と放熱体の一方の面との距離以下に設定されている。
また、本発明の第２の態様では、放熱体は、熱伝導部品に対応する位置に、放熱体の一方の面から基板とは反対側へ凹む凹部である特別凹部を有している。ここで、発熱部品と放熱体の一方の面との距離は、熱伝導部品と特別凹部との距離以下に設定されている。
【手続補正３】
【補正対象書類名】明細書
【補正対象項目名】００７８
【補正方法】変更
【補正の内容】
【００７８】
図６に示すように、本実施形態では、半導体モジュール２０の封止体２０２とヒートシンク７０の一方の面７０１との距離ｄ３は、熱伝導部品４０とヒートシンク７０の特別凹部７１２との距離ｄ４以下に設定されている。本実施形態では、ｄ３は、ｄ４より小さく設定されている。そのため、例えば振動または外部からの力等によりヒートシンク７０と基板１０とが近付いたとしても、半導体モジュール２０の封止体２０２とヒートシンク７０とが当接することにより、ヒートシンク７０と熱伝導部品４０との接触を確実に抑制することができる。これにより、熱伝導部品４０が基板１０に対し位置ずれしたり基板１０から脱落したりするのを確実に抑制することができる。